(57)【要約】【課題】床面に傾斜面や凹凸面などの不陸面が形成された部分があっても、フロアパネルにガタツキが生じることなくすべてのフロアパネルを略均一に固定することができると共に、フロアパネルの設置作業を容易にすることができるフリーアクセスフロアパネルの支持脚を提供する。【解決手段】フロアパネル４を床面３上の所定の高さ位置に着脱自在に支持する支持脚４０であって、支持脚４０は、床面３上に立設された脚部１６と、脚部１６に取付けられる支柱部４６を有し、当該支柱部４６より水平方向外側に伸びたパネル支持部５０ｂがフロアパネル４を支持するパネル支持台４４とを備え、パネル支持部５０ｂのフロアパネル４との接触部５０ｆは、半径方向内側の方が半径方向外側よりもその高さ位置が高く形成された。【選択図】図１
2015081426.tif 000002
【特許請求の範囲】
【請求項１】
フロアパネルを床面上の所定の高さ位置に着脱自在に支持する支持脚であって、
前記支持脚は、前記床面上に立設された脚部と、前記脚部に取付けられる支柱部を有し、当該支柱部より水平方向外側に伸びたパネル支持部が前記フロアパネルを支持するパネル支持台とを備え、
前記パネル支持部の前記フロアパネルとの接触部は、半径方向内側の方が半径方向外側よりもその高さ位置が高く形成された
ことを特徴とするフリーアクセスフロアパネルの支持脚。
【請求項２】
前記パネル支持部の前記フロアパネルとの接触部は、半径方向内側の方が半径方向外側よりもその高さ位置が高くなるテーパ状に形成されたことを特徴とする請求項１に記載のフリーアクセスフロアパネルの支持脚。
【請求項３】
前記パネル支持部の前記フロアパネルとの接触部には、前記フロアパネル側に突出する複数の突起が設けられたことを特徴とする請求項１又は２に記載のフリーアクセスフロアパネルの支持脚。
【請求項４】
前記パネル支持部の前記フロアパネルとの接触部は、複数の段差面を有する階段状に形成されたことを特徴とする請求項１に記載のフリーアクセスフロアパネルの支持脚。
【発明の詳細な説明】
【技術分野】
【０００１】
本発明は、複数のフロアパネルを、建築構造物の一部を構成するコンクリート床面の上方に空間を隔てて支持するフリーアクセスフロアを構成するために用いられる、フリーアクセスフロアパネルの支持脚に関するものである。
【背景技術】
【０００２】
本発明のフリーアクセスフロアパネルの支持脚は、フロアパネルと共にフリーアクセスフロアに用いられるものである。支持脚は、建築構造物の一部を構成するコンクリート材などにより形成された床面の上に立設されて、複数のフロアパネルを床面の上方に空間を隔てて支持するものである（例えば、特許文献１参照）。
【０００３】
図１１から図１３は、従来のフリーアクセスフロアパネルの支持脚２を説明するために参照する図である。従来の支持脚２は、図１１に示すように、フロアパネル４と共にフリーアクセスフロア６を構成するものであり、複数のフロアパネル４のそれぞれの隅部を突き合わせてそれらを下側から支持するパネル支持台１４と、床面３上に立設されてパネル支持台１４をその上部に支持する脚部１６を備えて構成されていた。
【０００４】
フロアパネル４は、図１２（ａ）に示す略正方形の上面８ａを有する板状の天板８と、上面８ａと同じ略正方形の底面１０ａを有する板部が、図１２（ｂ）中右側に示すように、その周縁部より略垂直上方に折り曲げられた側板部１０ｂを有して、この側板部８ｂの上端部より水平方向外側に略垂直に折り曲げられたフランジ部１０ｃを有して、図中上方に開放した箱状の底板１０を備えていた。
【０００５】
そして、天板８の周縁部と底板１０のフランジ部１０ｃの接触部同士が溶接やカシメなどにより接合されることにより、フロアパネル４は、天板８と底板１０に囲まれた内部空間を有する中空の直方体状に形成されていた。
【０００６】
図１２（ａ）及び（ｂ）に示すように、フロアパネル４の内部空間には、その四隅部に隅面１２ａが形成された略正方形の上下面と高さを有する板状の補強部材１２が、上面８ａを有する天板８と底面１０ａを有する底板１０の間に挟まれて配置されていた。
【０００７】
また、フロアパネル４の四隅部それぞれには、図１２（ｂ）の左上部に示す、図中左下方向に傾斜し、その上面形状が四分の一の円弧状（図１２（ａ）参照）に形成された段差側部８ｂと、この段差側部８ｂの下端部から上面８ａと平行かつ外側に伸びて、上面８ａより高さが低い段差面を有し、その平面形状が四分の一の円弧状に形成された段差部８ｃが形成されていた。
【０００８】
支持脚２のパネル支持台１４は、図１１に示すように、その軸線方向（図中上下方向）の下端部に形成されたメネジ孔１４ｂに、脚部１６の外周部に形成されたオネジ部１６ａをネジ結合した状態で、オネジ部１６ａのオネジの螺旋軌跡に沿ってパネル支持台１４を脚部１６に対し相対回転させることにより、床面３からの高さ位置が調整されていた。
【０００９】
そして、パネル支持台１４の下端部に形成された、軸線がパネル支持台１４の半径方向に伸びるメネジ孔１４ｃに、オネジ部材１８をパネル支持台１４の外側から内側に締め付けることにより、パネル支持台１４は床面３から所望の高さ位置に配置されて固定されていた。
【００１０】
パネル支持台１４は、脚部１６が載置された床面３に対して略平行に、かつその軸線から半径方向（水平方向）外側に伸びる水平板部の上面、すなわち支持面１４ａの上に、フロアパネル４の底板１０の底面１０ａの四隅部のいずれか１つが載置され、皿ボルト２０（締結部材）を用いて固定されていた。
【００１１】
すなわち、皿ボルト２０のオネジ部２０ｂを、パネル支持台１４の軸線方向上端部のメネジ孔１４ｄに締め付けることにより、フロアパネル４の段差部８ｃが皿ボルト２０の皿頭部２０ａにより下方に押え付けられて固定されていた。
【００１２】
フロアパネル４の底板１０の底面１０ａの四隅部の他の３つは、他の３つの支持脚２により支持されていた。
【先行技術文献】
【特許文献】
【００１３】
【特許文献１】特開２００８−２１２６号公報
【発明の概要】
【発明が解決しようとする課題】
【００１４】
しかしながら、上記従来の支持脚２を用いたフリーアクセスフロア６は、床面３に対して略平行なパネル支持台１４の支持面１４ａに、複数のフロアパネル４それぞれの隅部を載置されて固定される構造になっているので、床面３に傾斜面や凹凸面（不陸面）が形成された部分がある場合には、図１３に示すように、パネル支持台１４の支持面１４ａが傾斜してしまい、複数のフロアパネル４のそれぞれの隅部を皿ボルト２０の皿頭部２０ａにより下方に押え付けることができなくなるおそれがあった。
【００１５】
このため、複数のフロアパネル４の中のいずれかが皿ボルト２０により固定できなくなって、皿ボルト２０の皿頭部２０ａとパネル支持台１４の支持面１４ａの間で上下動する、いわゆるガタツキが生じるおそれがあるという問題があった。
【００１６】
また、床面３に傾斜面や凹凸面などの不陸面が形成された部分がある場合には、フロアパネル４にガタツキが生じて、フロアパネル４の設置作業に支障をきたし、過大な労力や時間を必要とするという問題があった。
【００１７】
そこで本発明は、上記問題点に鑑みて、床面に傾斜面や凹凸面などの不陸面が形成された部分があっても、フロアパネルにガタツキが生じることなくすべてのフロアパネルを略均一に固定することができると共に、フロアパネルの設置作業を容易にすることができるフリーアクセスフロアパネルの支持脚を提供することを課題とするものである。
【課題を解決するための手段】
【００１８】
上記課題を解決するために、本発明によるフリーアクセスフロアパネルの支持脚は、
フロアパネルを床面上の所定の高さ位置に着脱自在に支持する支持脚であって、
前記支持脚は、前記床面上に立設された脚部と、前記脚部に取付けられる支柱部を有し、当該支柱部より水平方向外側に伸びたパネル支持部が前記フロアパネルを支持するパネル支持台とを備え、
前記パネル支持部の前記フロアパネルとの接触部は、半径方向内側の方が半径方向外側よりもその高さ位置が高く形成されたことを特徴とするものである。
【００１９】
また、本発明によるフリーアクセスフロアパネルの支持脚は、
前記パネル支持部の前記フロアパネルとの接触部は、半径方向内側の方が半径方向外側よりもその高さ位置が高くなるテーパ状に形成されたことを特徴とするものである。
【００２０】
また、本発明によるフリーアクセスフロアパネルの支持脚は、
前記パネル支持部の前記フロアパネルとの接触部には、前記フロアパネル側に突出する複数の突起が設けられたことを特徴とするものである。
【００２１】
また、本発明によるフリーアクセスフロアパネルの支持脚は、
前記パネル支持部の前記フロアパネルとの接触部は、複数の段差面を有する階段状に形成されたことを特徴とするものである。
【発明の効果】
【００２２】
このような本発明のフリーアクセスフロアパネルの支持脚によれば、
フロアパネルを床面上の所定の高さ位置に着脱自在に支持する支持脚であって、
前記支持脚は、前記床面上に立設された脚部と、前記脚部に取付けられる支柱部を有し、当該支柱部より水平方向外側に伸びたパネル支持部が前記フロアパネルを支持するパネル支持台とを備え、
前記パネル支持部の前記フロアパネルとの接触部は、半径方向内側の方が半径方向外側よりもその高さ位置が高く形成されたことにより、
床面に傾斜面や凹凸面などの不陸面が形成された部分があっても、フロアパネルにガタツキが生じることなくすべてのフロアパネルを略均一に固定することができると共に、フロアパネルの設置作業を容易にすることができる。
【図面の簡単な説明】
【００２３】
【図１】本発明の第１の実施の形態に係るフリーアクセスフロアパネルの支持脚４０を用いて構成されたフリーアクセスフロア４２の概略側面断面図である。
【図２】図１におけるパネル支持台４４の上面図である。
【図３】図１におけるパネル支持台４４の側面図である。
【図４】図２におけるパネル支持台４４のＡ−Ａ線矢視断面図である。
【図５】傾斜した床面３の上に支持脚４０を載せた状態を示すフリーアクセスフロア４２の概略側面断面図である。
【図６】本発明の第２の実施の形態に係る支持脚６０を用いて構成されたフリーアクセスフロア６２の概略側面断面図である。
【図７】図６におけるパネル支持台６４の上面図である。
【図８】図７におけるパネル支持台６４のＢ−Ｂ線矢視断面図である。
【図９】本発明の第３の実施の形態に係る支持脚８０を用いて構成されたフリーアクセスフロア８２の概略側面断面図である。
【図１０】図９におけるパネル支持台８４を示す図であって、図２におけるパネル支持台４４のＡ−Ａ線矢視断面図に相当する断面図である。
【図１１】従来の支持脚２と、フロアパネル４を用いて構成された従来のフリーアクセスフロア６の部分側面図である。
【図１２】図１１におけるフロアパネル４の１つを示す図であって、図１２（ａ）はその上面図、図１２（ｂ）はその一部破断拡大側面図である。
【図１３】傾斜した床面３の上に支持脚２を載せた状態を示すフリーアクセスフロア６の概略側面図である。
【発明を実施するための形態】
【００２４】
以下、本発明に係るフリーアクセスフロアパネルの支持脚を実施するための形態について、図面に基づいて具体的に説明する。
【００２５】
図１から図５は、本発明の第１の実施の形態に係るフリーアクセスフロアパネル４２の支持脚４０について説明するために参照する図である。以下、前記従来の支持脚２と同様の部分には同じ符号を付して説明し、従来と同様の構成についての重複する説明は一部を除き省略する。
【００２６】
本実施の形態に係る支持脚４０は、前記従来の支持脚２におけるパネル支持台１４の代わりに、図１に示すようなパネル支持台４４を用いている点において、従来の支持脚２と著しく異なるものである。
【００２７】
すなわち、本実施の形態に係る支持脚４０は、図１に示すように、フロアパネル４と共にフリーアクセスフロア４２を構成するものであり、複数のフロアパネル４のそれぞれの隅部を突き合わせてそれらを下側から支持するパネル支持台４４と、床面３上に立設されてパネル支持台１４をその上部に支持する脚部１６を備えて構成されている。
【００２８】
本実施の形態に係る支持脚４０におけるパネル支持台４４は、図１に示すように、支柱部材４６と、受板部材４８と、緩衝部材５０を有して構成されている。
パネル支持台４４の支柱部材４６は、図４に示すように、その軸線方向（図中上下方向）の長さ途中部の外周に段差部４６ａが形成された段付き円筒状に形成されている。
【００２９】
このため、支柱部材４６は、その段差部４６ａが形成された長さ途中部より上方の、上方筒状部４６ｂの半径方向の寸法が、その段差部４６ａが形成された長さ途中部より下方の、下方筒状部４６ｃの半径方向の寸法よりも小さく形成されている。
【００３０】
そして、支柱部材４６は、その軸線方向に貫通する軸孔の全長にわたって内周面にメネジ部４６ｄが形成されている。
【００３１】
パネル支持台４４の受板部材４８は、１枚の金属製の板状部材をプレス加工することによりその形状が形成されており、図４に示すように、支持板部４８ａと、段差凹部４８ｂと、外周縁折曲部４８ｃを有して構成されている。
【００３２】
受板部材４８の支持板部４８ａの平面形状は、図２に示すように、その外周縁部に４つの円弧状部と４つの直線状部を有する異形円環状に形成されている。
【００３３】
受板部材４８は、図４に示すように、支持板部４８ａの内周縁部に一体的に連続するテーパ部と、支持板部４８ａの上面４８ｄより高さが低い円環状（図２参照）の段差面を有する段差凹部４８ｂが形成されている。この段差凹部４８ｂの中心には、その厚さ方向に貫通する貫通孔４８ｅが形成されている。
【００３４】
受板部材４８は、その貫通孔４８ｅに支柱部材４６の上方筒状部４６ｂが挿通されて、段差凹部４８ｂの貫通孔４８ｅの内周縁部が、支柱部材４６の段差部４６ａに係止されている。このため、受板部材４８は、支柱部材４６により下側から支持されている。
【００３５】
また、受板部材４８は、図４に示すように、支持板部４８ａの外周縁部から垂直下方に折曲げられて、図中下方に向かって伸びる外周縁折曲部４８ｃが形成されている。このため、支持板部４８ａは外周縁折曲部４８ｃによりフロアパネル４（図１参照）の支持強度を向上させることができる。
【００３６】
パネル支持台４４の緩衝部材５０は、可撓性及び衝撃吸収性を有する弾性材料により形成されており、ボス部５０ａと、パネル支持部５０ｂと、リブ５０ｃと、突出部５０ｄと、係止部５０ｅを有して構成されている。
【００３７】
ここで、図４においては説明の便宜上、緩衝部材５０のボス部５０ａと、パネル支持部５０ｂと、リブ５０ｃを破線により区別して描いているが、これらと突出部５０ｄ及び係止部５０ｅは互いに全体として一体的に形成されている。
【００３８】
緩衝部材５０のボス部５０ａは、図４に示すように、円筒状に形成されており、支柱部材４６の上方筒状部４６ｂが図中下方からボス部５０ａの軸孔に緩く挿通して、ボス部５０ａの内周面と上方筒状部４６ｂの外周面との間に隙間が形成されている。
【００３９】
緩衝部材５０のパネル支持部５０ｂは、ボス部５０ａの下端部の外周面よりその放射方向外側に伸びて形成されており、その底面が受板部材４８の支持板部４８ａの上面４８ｄ上に載置されている。
【００４０】
このパネル支持部５０ｂは、その半径方向の寸法が、受板部材４８の支持板部４８ａの半径方向の寸法よりも大きく形成されている。そして、図２に示すように、緩衝部材５０のパネル支持部５０ｂの平面外周形状は、受板部材４８の支持板部４８ａと同様に、その外周縁部に４つの円弧状部と４つの直線状部を有する異形円環状に形成されている。
【００４１】
緩衝部材５０のリブ５０ｃは、ボス部５０ａの上端部の外周面と、パネル支持部５０ｂの半径方向内側寄りの上面をそれぞれ一辺として、略五角形に形成されている。そしてリブ５０ｃは、パネル支持部５０ｂの外周縁部の、４つの直線状部の中央部に向かって、それらに対して略垂直方向に伸びて形成されている。
【００４２】
このリブ５０ｃは、緩衝部材５０の上に隣接して配置される複数のフロアパネル４間に挟まれて配置され、フロアパネル４同士が干渉することを防止するために設けられている。
【００４３】
図４に示すように、緩衝部材５０は、受板部材４８の外周縁折曲部４８ｃの外周面を覆うように、そのパネル支持部５０ｂの外周縁部より下方に向かって突出する突出部５０ｄが形成されている。
【００４４】
そして、パネル支持部５０ｂの外周縁部の４つの直線状部の下方において、突出部５０ｄの下端部より緩衝部材５０の半径方向内側に向かって突出する４つの係止部５０ｅが形成されている。この４つの係止部５０ｅが受板部材４８の外周縁折曲部４８ｃの下端部に係止されるため、緩衝部材５０は受板部材４８から外れ難くなっている。
【００４５】
図３に示すように、受板部材４８は、緩衝部材５０のパネル支持部５０ｂと突出部５０ｄと係止部５０ｅにより、緩衝部材５０に内包されている。
【００４６】
図４に示すように、緩衝部材５０のパネル支持部５０ｂは、その半径方向外側から内側に向かうにつれて、その上下方向の肉厚の厚さ寸法が徐々に大きくなっていると共に、上面の高さ位置が徐々に高くなって、その上面にはテーパ状のテーパ面５０ｆが形成されている。
【００４７】
支持脚４０のパネル支持台４４は、図１に示すように、支柱部材４６のメネジ部４６ｄに、脚部１６の外周部に形成されたオネジ部１６ａを図中下側からネジ結合した状態で、オネジ部１６ａのオネジの螺旋軌跡に沿って、パネル支持台４４を脚部１６に対して相対回転させることにより、その床面３からの高さ位置を調整するようになっている。
【００４８】
そして、パネル支持台４４の下端部に形成された、軸線がパネル支持台４４の半径方向に伸びるメネジ部４６ｅに、オネジ部材１８を締め付けることにより、パネル支持台４４は床面３から所望の高さ位置に固定されている。
【００４９】
パネル支持台４４は、図１に示すように、その緩衝部材５０のテーパ面５０ｆ上に、複数のフロアパネル４の底板１０の、底面１０ａの四隅部のいずれか１つずつが載置されている。そして、この底面１０ａの四隅部を介して、フロアパネル４にその上方から加えられた荷重を、複数の支持脚４０に支持させるようになっている。
【００５０】
フロアパネル４は、皿ボルト２０のオネジ部２０ｂを、パネル支持台４４の支柱部材４６のメネジ部４６ｄに図１中上側から、締め付けることにより、その天板８の四隅部の段差部８ｃが、皿ボルト２０の皿頭部２０ａにより下方に押圧されて、パネル支持台４４の緩衝部材５０のテーパ面５０ｆ上に押し付けられて固定されている。
【００５１】
そして、複数のフロアパネル４は、それぞれの段差部８ｃを１箇所に寄せ集めて突き合わせるように配置され、１つの同じパネル支持台４４に共に固定されている。フロアパネル４の底板１０の底面１０ａの四隅部の他の３つは、他の３つの支持脚４０により支持されている。
【００５２】
このため、フロアパネル４は、複数のパネルそれぞれの四隅部の１つずつが１箇所に寄せ集めて突き合わされて、床面３から上方に空間を隔てた水平面上に、上から見て縦横二軸両方向に互いに隣接して配置されており、床面３上に立設された支持脚４０に着脱可能に支持されるようになっている。
【００５３】
本実施の形態に係る支持脚４０は、フロアパネル４を支持するパネル支持台４４の緩衝部材５０の、パネル支持部５０ｂの上面にテーパ面５０ｆが形成されているため、床面３に形成された傾斜面や凹凸面などの不陸面によるフロアパネル４への影響を小さなものにすることができる。
【００５４】
すなわち、図１３中左右方向の左側に示すように、従来の支持脚２は、床面３に不陸面が形成された部分がある場合には、床面３に沿ってパネル支持台１４も傾いて、そのパネル支持台１４の軸線から最も離れた支持面１４ａの外周縁部が支持面１４ａの他の部分より上方に持ち上がってしまう。
【００５５】
このため、この支持面１４ａの外周縁部に、フロアパネル４の底面１０ａが支持されるので、支持脚２に支持されたフロアパネル４は、同図中左右方向の右側に示すフロアパネル４と高さが異なってしまい、フリーアクセスフロアの平面度が劣化して、パネル支持台１４の傾きによる影響を大きく受けてしまう。
【００５６】
これに対して、本実施の形態に係る支持脚４０は、図５に示すように、床面３の傾斜面や凹凸面などの不陸面によりパネル支持台４４が傾いて、パネル支持台４４のパネル支持部５０ｂの外周縁部が上方に持ち上がったとしても、パネル支持部５０ｂにテーパ面５０ｆが形成されているため、パネル支持部５０ｂの外周縁部よりも、パネル支持部５０ｂのテーパ面５０ｆの半径方向内側の方がその高さ位置が常に高くなる。
【００５７】
このため、本実施の形態に係る支持脚４０は、パネル支持部５０ｂのテーパ面５０ｆの半径方向内側であって、緩衝部材５０のボス部５０ａ寄りの位置に、フロアパネル４の底面１０ａの角部を接触させて、フロアパネル４の底面１０ａを支持することができる。
【００５８】
したがって、図５中左側のフロアパネル４と同図中右側のフロアパネル４の高さが著しく異なることはないため、支持脚４０に支持されたフロアパネル４が受ける、パネル支持台４４の傾きによる影響を小さなものにすることができる。
【００５９】
ここで、図５においては、緩衝部材５０にテーパ面５０ｆが形成されたことによる、本実施の形態に係る支持脚４０と従来の支持脚２の違いを明確にするために、緩衝部材５０を撓ませることなく描いているため、複数のフロアパネル４のそれぞれの隅部の段差部８ｃを皿ボルト２０の皿頭部２０ａにより下方に押え付けることが十分にはできていないように見える。
【００６０】
しかしながら、本実施の形態に係る緩衝部材５０は、可撓性を有しており、フロアパネル４の底面１０ａの角部との接触部分周辺を撓ませることができるので、本実施の形態に係る支持脚４０は、床面３に傾斜面や凹凸面などの不陸面が形成された部分がある場合であっても、複数のフロアパネル４のそれぞれの隅部の段差部８ｃを皿ボルト２０の皿頭部２０ａにより下方に押え付けることができる。
【００６１】
また、本実施の形態に係る支持脚４０のパネル支持台４４は、図４に示すように、支柱部材４６の上方筒状部４６ｂの外周面と、緩衝部材５０のボス部５０ａの軸孔の内周面との間、及び受板部材４８の段差凹部４８ｂの段差面と、緩衝部材５０のパネル支持部５０ｂの底面との間に隙間が形成されている。
【００６２】
このため、本実施の形態に係る支持脚４０は、緩衝部材５０のパネル支持部５０ｂの半径方向内側部分を同図中下側に押し下げることが可能となっているので、複数のフロアパネル４のそれぞれの隅部を皿ボルト２０の皿頭部２０ａにより下方に押え付けることをより確実に行なうことができる。
【００６３】
以上のことから、本実施の形態に係る支持脚４０は、床面３に傾斜面や凹凸面などの不陸面が形成された部分があっても、不陸面が形成された部分が無い場合と同等にフロアパネル４をガタツキがなく固定することができる。
【００６４】
また、このようにフロアパネル４をガタツキなく固定することができるため、支持脚４０にフロアパネル４を取付ける作業をも容易に行なうことができる。
【００６５】
以上に説明したように、本実施の形態に係る支持脚４０によれば、床面３に傾斜面や凹凸面などの不陸面が形成された部分があっても、フロアパネル４にガタツキが生じることなくすべてのフロアパネル４を略均一に固定することができると共に、フロアパネル４の設置作業を容易にすることができる。
【００６６】
図６から図８は、本発明の第２の実施の形態に係るフリーアクセスフロアパネル６２の支持脚６０について説明するために参照する図である。
【００６７】
本実施の形態に係る支持脚６０は、前記第１の実施の形態に係る支持脚４０における、緩衝部材５０を備えるパネル支持台４４の代わりに、図６に示すような、緩衝部材６６を有するパネル支持台６４を備えている点において、前記第１の実施の形態に係る支持脚４０とは異なるものである。
【００６８】
緩衝部材６６は、図８に示すように、そのパネル支持部６６ｂのテーパ面６６ｆより上方に突出する断面形状が略三角形状の環状リブ６６ｇが形成されている点において、前記第１の実施の形態に係る緩衝部材５０とは異なるが、ボス部６６ａ、リブ６６ｃ、突出部６６ｄ及び係止部６６ｅは、ボス部５０ａ、リブ５０ｃ、突出部５０ｄ及び係止部５０ｅと同様のものである。
【００６９】
この緩衝部材６６の環状リブ６６ｇは、図７に示すように、緩衝部材６６の軸心を中心とする多重円となるように複数形成されている。この環状リブ６６ｇのうちのいくつかは、四方に伸びるリブ６６ｃにより４つの円弧状に分割されている。
【００７０】
このような本実施の形態に係る支持脚６０によれば、前記第１の実施の形態に係る支持脚４０と同様に、床面３に傾斜面や凹凸面などの不陸面が形成された部分があっても、フロアパネル４にガタツキが生じることなくすべてのフロアパネル４を略均一に固定することができると共に、フロアパネル４の設置作業を容易にすることができる。
【００７１】
また、本実施の形態に係る支持脚６０によれば、図６に示すように、環状リブ６６ｇによりフロアパネル４の底面１０ａを支持することができるので、フロアパネル４の底面１０ａの角部を支持する前記第１の実施の形態に係る支持脚４０に比べて、フロアパネル４を安定して固定、支持することができる。
【００７２】
図９及び図１０は、本発明の第３の実施の形態に係るフリーアクセスフロアパネル８２の支持脚８０について説明するために参照する図である。
【００７３】
本実施の形態に係る支持脚８０は、前記第１の実施の形態に係る支持脚４０における、緩衝部材５０を備えるパネル支持台４４の代わりに、図９に示すような、緩衝部材８６を有するパネル支持台８４を備えている点において、前記第１の実施の形態に係る支持脚４０とは異なるものである。
【００７４】
本実施の形態における緩衝部材８６は、図１０に示すように、パネル支持部８６ｂの上端部（接触部）にテーパ面５０ｆではなく、上方から見ると円環状又は円弧状の段差面８６ｇを複数有する環状段部８６ｆが形成されている点において、前記第１の実施の形態に係る緩衝部材５０とは異なるが、ボス部８６ａ、リブ８６ｃ、突出部８６ｄ及び係止部８６ｅは、ボス部５０ａ、リブ５０ｃ、突出部５０ｄ及び係止部５０ｅと同様のものである。
【００７５】
このような本実施の形態に係る支持脚８０によれば、前記第１の実施の形態に係る支持脚４０と同様に、床面３に傾斜面や凹凸面などの不陸面が形成された部分があっても、フロアパネル４にガタツキが生じることなくすべてのフロアパネル４を略均一に固定することができると共に、フロアパネル４の設置作業を容易にすることができる。
【００７６】
また、本実施の形態に係る支持脚８０によれば、図９に示すように、環状段部８６ｆの段差面８６ｇによりフロアパネル４の底面１０ａを支持することができるので、フロアパネル４の底面１０ａの角部を支持する前記第１の実施の形態に係る支持脚４０に比べて、フロアパネル４を安定して固定、支持することができる。
【００７７】
なお、本発明は、前記実施の形態にのみ限定されるものではなく、本発明の目的を達成することができる範囲内であれば、フリーアクセスフロアパネルの支持脚について種々の変更が可能である。
【００７８】
例えば、前記第１の実施の形態におけるパネル支持台４４は、支柱部材４６と、受板部材４８と、緩衝部材５０を有して構成されていたが、緩衝部材を有さない構成にして、テーパ面を形成した受板部材にフロアパネルを支持させてもよい。
【００７９】
また、前記第１の実施の形態における緩衝部材５０は、そのパネル支持部５０ｂの上面にテーパ状のテーパ面５０ｆが形成されていたが、その半径方向内側の方が、その半径方向外側よりもその高さ位置が高く形成されていればよく、その半径方向外側寄りの途中部からその半径方向内側にわたって、テーパ面が形成されていてもよいし、テーパ面ではなくその断面形状が湾曲した曲面状に形成されていてもよい。
【００８０】
また、前記第２の実施の形態における緩衝部材６６は、パネル支持部６６ｂの環状リブ６６ｇがテーパ面６６ｆより上方に突出して形成されていたが、略水平面の上面を有するパネル支持部の、この上面より環状リブが突出して形成されていてもよい。この場合には、パネル支持部の半径方向内側の環状リブの方が、半径方向外側の環状リブよりもその高さ位置が高く形成される必要がある。
【００８１】
また、前記第２の実施の形態における緩衝部材６６は、パネル支持部６６ｂの環状リブ６６ｇが円環状又は円弧状に形成されていたが、１本の直線状、又は２以上の複数本の直線若しくは曲線が組み合わされた形状になっていてもよい。この点については前記第３の実施の形態における緩衝部材８６の環状段部８６ｆについても同様とする。
【００８２】
また、前記第１の実施の形態におけるフロアパネル４は、その上面８ａを有する板部と段差部８ｃの間に、図１２（ｂ）の左上部に示す、図中左下方向に傾斜したテーパ状の段差側部８ｂが形成されていたが、この段差側部８ｂはテーパ状の代わりに、フロアパネル４の上面８ａを有する板部と段差部８ｃとを繋ぐ垂直断面が円弧状の板部でもよく、或は単に垂直方向に伸びるだけの平板状の板部が形成されていてもよい。
【符号の説明】
【００８３】
２  支持脚
３  床面
４  フロアパネル
６  フリーアクセスフロア
８  天板
８ａ  上面
８ｂ  段差側部
８ｃ  段差部
１０  底板
１０ａ  底面
１０ｂ  側板部
１０ｃ  フランジ部
１２  補強部材
１２ａ  隅面
１４  パネル支持台
１４ａ  支持面
１４ｂ，１４ｃ，１４ｄ  メネジ孔
１６  脚部
１６ａ  オネジ部
１８  オネジ部材
２０  皿ボルト
２０ａ  皿頭部
２０ｂ  オネジ部
４０  支持脚
４２  フリーアクセスフロア
４４  パネル支持台
４６  支柱部材
４６ａ  段差部
４６ｂ  上方筒状部
４６ｃ  下方筒状部
４６ｄ，４６ｅ  メネジ部
４８  受板部材
４８ａ  支持板部
４８ｂ  段差凹部
４８ｃ  外周縁折曲部
４８ｄ  上面
４８ｅ  貫通孔
５０  緩衝部材
５０ａ  ボス部
５０ｂ  パネル支持部
５０ｃ  リブ
５０ｄ  突出部
５０ｅ  係止部
５０ｆ  テーパ面
６０  支持脚
６２  フリーアクセスフロア
６４  パネル支持台
６６  緩衝部材
６６ａ  ボス部
６６ｂ  パネル支持部
６６ｃ  リブ
６６ｄ  突出部
６６ｅ  係止部
６６ｆ  テーパ面
６６ｇ  環状リブ
８０  支持脚
８２  フリーアクセスフロア
８４  パネル支持台
８６  緩衝部材
８６ａ  ボス部
８６ｂ  パネル支持部
８６ｃ  リブ
８６ｄ  突出部
８６ｅ  係止部
８６ｆ  環状段部
８６ｇ  段差面
【図１】
2015081426.tif 000003
【図２】
2015081426.tif 000004
【図３】
2015081426.tif 000005
【図４】
2015081426.tif 000006
【図５】
2015081426.tif 000007
【図６】
2015081426.tif 000008
【図７】
2015081426.tif 000009
【図８】
2015081426.tif 000010
【図９】
2015081426.tif 000011
【図１０】
2015081426.tif 000012
【図１１】
2015081426.tif 000013
【図１２】
2015081426.tif 000014
【図１３】
2015081426.tif 000015